(57)【要約】【課題】蒸気排出装置では、炊飯器、湯沸かし器のように使用電力が異なる二種類の蒸気発生器具を収納部の左右に収納し、収納部に設けたそれぞれの電源コンセントに差し込んで使用されるが、この電源コンセントは、炊飯器用コンセントと、湯沸かし器用コンセントとして指定されているのが一般的であり不便である。本発明は左右いずれのコンセントにも炊飯器と湯沸かし器を接続可能とし、且つ同時通電させた場合、炊飯器での炊き上げ途中に家庭のブレーカが遮断状態になることを避けるものである。【解決手段】第１・第２のコンセントに炊飯器と湯沸かし器が接続可能とし、湯沸かし器が接続された回路に電流遮断器を接続するように切り替える手動切り替え装置を設け、炊飯器と湯沸かし器が同時使用された場合、炊飯器での炊き上げ途中に家庭のブレーカが遮断する電流状態となったとき、湯沸かし器の電源を遮断し炊飯器の通電は継続すること。【選択図】図２
2009082334.tif 000002
【特許請求の範囲】
【請求項１】
使用電力が異なる二種類の蒸気発生器具が収納設置される収納部と、前記二種類の蒸気
発生器具から発生する蒸気を前記収納部に開口した蒸気吸い込み口から吸い込んで蒸気排
出口から前記収納部外へ排出する蒸気排出ファンと、前記収納部に設けられた第１電源コ
ンセントと、前記収納部に設けられた第２電源コンセントと、前記第１電源コンセントと
前記第２電源コンセントの両方を流れる電流を検出する電流検出部と、前記一方の電源コ
ンセントの電力ラインを遮断するように接続した電流遮断器と、前記電流遮断器に前記第
１電源コンセントを接続するか前記第２電源コンセントを接続するかの手動切り替え装置
と、前記電流検出部の検知に基づき動作する制御部とを備え、前記二種類の蒸気発生器具
の両方が前記第１及び第２電源コンセントのいずれかにそれぞれ接続された状態で、前記
制御部は、前記電流検出部の検出に基づく電力が家屋に設置したブレーカが遮断動作する
ときの電流以上またはそれを超えるとき、前記電流遮断器を作動させることを特徴とする
蒸気排出装置。
【請求項２】
使用電力が異なる二種類の蒸気発生器具が収納設置される収納部と、前記二種類の蒸気
発生器具から発生する蒸気を前記収納部に開口した蒸気吸い込み口から吸い込んで蒸気排
出口から前記収納部外へ排出する蒸気排出ファンと、前記収納部に設けられた第１電源コ
ンセントと、前記収納部に設けられた第２電源コンセントと、前記第１電源コンセントと
前記第２電源コンセントの両方を流れる電流を検出する電流検出部と、前記一方の電源コ
ンセントの電力ラインを遮断するように接続した電流遮断器と、前記電流遮断器に前記第
１電源コンセントを接続するか前記第２電源コンセントを接続するかの切り替え装置と、
前記電流検出部の検知に基づき前記電流遮断器を作動させる制御部を備え、前記二種類の
蒸気発生器具の両方が前記第１及び第２電源コンセントのいずれかにそれぞれ接続された
状態で、前記制御部は、前記電流検出部の検出に基づき前記二種類の蒸気発生器具のうち
使用電力の小さい方の蒸気発生器具が接続された電源コンセントへ前記直列回路が接続状
態となる状態に前記切り替え装置を制御すると共に、前記電流検出部の検出に基づく電力
が家屋に設置したブレーカが遮断動作するときの電流以上またはそれを超えるとき、前記
電流遮断器を作動させることを特徴とする蒸気排出装置。
【発明の詳細な説明】
【技術分野】
【０００１】
本発明は、収納部へ炊飯器、湯沸かし器等の蒸気発生を伴う器具を収納して使用するよ
うに構成した蒸気排出装置に関する。
【背景技術】
【０００２】
収納部へ蒸気発生を伴う調理器具を収納して使用するように構成した収納庫において、
収納部内の左側に炊飯器、右側に電気保温ポットが設置されて通電使用されるものがあり
、収納部内の天井面の左側と右側には、それぞれ上方へ窪んだ凹状空間があり、この左側
の凹状空間には正方形環状の蒸気吸込口が形成され、右側の凹状空間には長方形環状の蒸
気吸込口が形成され、これら蒸気吸込口の上方にはそれぞれ吸込み口８ａ、８ｂを形成し
た三角形状のダクトが配置され、このダクトの前端部に単一の遠心式送風機が配置され、
送風機の運転によって各蒸気吸込口から吸い込んだ蒸気が、各吸込み口８ａ、８ｂからダ
クトへ吸い込まれ、前面の蒸気排気口から排出されるものがある。（特許文献１参照）。
【特許文献１】特開２００７−１９５７６４号公報
【発明の開示】
【発明が解決しようとする課題】
【０００３】
この種の蒸気排出装置では、炊飯器、湯沸かし器等のように、使用電力が異なる二種類
の蒸気発生器具を収納部の左右に収納し、収納部に設けたそれぞれの電源コンセントに差
し込んで使用されるが、この電源コンセントは、炊飯器用コンセントと、湯沸かし器用コ
ンセントとして指定されているのが一般的である。このため、使用者は、それを記憶する
か、使用前に確認する必要があり面倒である。
【０００４】
本発明はこのような点に鑑み、左右いずれの位置にも炊飯器と湯沸かし器を収納可能と
し、且ついずれのコンセントに炊飯器と湯沸かし器を接続してもよいように切換手段を設
ける。そして、炊飯器と湯沸かし器が同時使用された場合、炊飯器での炊き上げ途中に家
庭のブレーカが遮断する状態になったときは、炊き上げ不良となるが、本発明は、湯沸か
し器の電源を遮断して、炊飯器の通電は継続することにより、炊き上げ不良が生じないよ
うに制御する技術を提供するものである。
【課題を解決するための手段】
【０００５】
第１発明の蒸気排出装置は、使用電力が異なる二種類の蒸気発生器具が収納設置される
収納部と、前記二種類の蒸気発生器具から発生する蒸気を前記収納部に開口した蒸気吸い
込み口から吸い込んで蒸気排出口から前記収納部外へ排出する蒸気排出ファンと、前記収
納部に設けられた第１電源コンセントと、前記収納部に設けられた第２電源コンセントと
、前記第１電源コンセントと前記第２電源コンセントの両方を流れる電流を検出する電流
検出部と、前記一方の電源コンセントの電力ラインを遮断するように接続した電流遮断器
と、前記電流遮断器に前記第１電源コンセントを接続するか前記第２電源コンセントを接
続するかの手動切り替え装置と、前記電流検出部の検知に基づき動作する制御部とを備え
、前記二種類の蒸気発生器具の両方が前記第１及び第２電源コンセントのいずれかにそれ
ぞれ接続された状態で、前記制御部は、前記電流検出部の検出に基づく電力が家屋に設置
したブレーカが遮断動作するときの電流以上またはそれを超えるとき、前記電流遮断器を
作動させることを特徴とする。
【０００６】
第２発明の蒸気排出装置は、使用電力が異なる二種類の蒸気発生器具が収納設置される
収納部と、前記二種類の蒸気発生器具から発生する蒸気を前記収納部に開口した蒸気吸い
込み口から吸い込んで蒸気排出口から前記収納部外へ排出する蒸気排出ファンと、前記収
納部に設けられた第１電源コンセントと、前記収納部に設けられた第２電源コンセントと
、前記第１電源コンセントと前記第２電源コンセントの両方を流れる電流を検出する電流
検出部と、前記一方の電源コンセントの電力ラインを遮断するように接続した電流遮断器
と、前記電流遮断器に前記第１電源コンセントを接続するか前記第２電源コンセントを接
続するかの切り替え装置と、前記電流検出部の検知に基づき前記電流遮断器を作動させる
制御部を備え、前記二種類の蒸気発生器具の両方が前記第１及び第２電源コンセントのい
ずれかにそれぞれ接続された状態で、前記制御部は、前記電流検出部の検出に基づき前記
二種類の蒸気発生器具のうち使用電力の小さい方の蒸気発生器具が接続された電源コンセ
ントへ前記直列回路が接続状態となる状態に前記切り替え装置を制御すると共に、前記電
流検出部の検出に基づく電力が家屋に設置したブレーカが遮断動作するときの電流以上ま
たはそれを超えるとき前記電流遮断器を作動させることを特徴とする。
【発明の効果】
【０００７】
第１発明は、左右いずれの位置にも使用電力が異なる二種類の蒸気発生器具を収納可能
とし、ブレーカが遮断する電流状態となったことを速やかに検出して、一方の蒸気発生器
具の電力供給ラインは残して他方の蒸気発生器具の電力供給ラインを遮断するようにする
ため、炊飯器の炊き上げ途中のように、通電途中で電力供給を断ったら困る器具の救済が
できるものとなり、蒸気排出装置の使用性が向上すると共に、安全稼動ができるものとな
る。
【０００８】
第２発明は、左右いずれの位置にも炊飯器と湯沸かし器を収納可能とし、且ついずれの
コンセントに炊飯器と湯沸かし器を接続してもよいようにするために、いずれのコンセン
トに使用電力の小さい器具である湯沸かし器が接続されているかを検出して切り替え装置
によって、電流遮断器が湯沸かし器の通電回路に接続された状態とし、炊飯器と湯沸かし
器が同時使用された場合、炊飯器での炊き上げ途中に家庭のブレーカが遮断する状態にな
ったときに、速やかに湯沸かし器の電源を遮断して、炊飯器の通電は継続することにより
、炊き上げ不良が生じないように制御できる。このため、蒸気排出装置の使用性が向上す
ると共に、安全稼動ができるものとなる。
【発明を実施するための最良の形態】
【０００９】
本発明の蒸気排出装置は、使用電力が異なる二種類の蒸気発生器具が収納設置される収
納部と、前記二種類の蒸気発生器具から発生する蒸気を前記収納部に開口した蒸気吸い込
み口から吸い込んで蒸気排出口から前記収納部外へ排出する蒸気排出ファンと、前記収納
部に設けられた第１電源コンセントと、前記収納部に設けられた第２電源コンセントと、
前記第１電源コンセントと前記第２電源コンセントの両方を流れる電流を検出する電流検
出部と、前記一方の電源コンセントの電力ラインを遮断するように接続した電流遮断器と
、前記電流遮断器に前記第１電源コンセントを接続するか前記第２電源コンセントを接続
するかの手動切り替え装置と、前記電流検出部の検知に基づき動作する制御部とを備え、
前記二種類の蒸気発生器具の両方が前記第１及び第２電源コンセントのいずれかにそれぞ
れ接続された状態で、前記制御部は、前記電流検出部の検出に基づく電力が家屋に設置し
たブレーカが遮断動作するときの電流以上またはそれを超えるとき、前記電流遮断器を作
動させるものであり、本発明の実施例を以下に記載する。
【実施例１】
【００１０】
本発明の実施形態について説明する。図１は本発明に係る蒸気排出装置の正面斜視図、
図２は本発明に係る蒸気排出装置の手動切り替えスイッチ方式の制御回路図である。
【００１１】
これらの図において、１は本発明の蒸気排出装置を示しており、蒸気排出装置１の機体
２は、炊飯器、湯沸かし器等の蒸気発生器具が左右に収納設置される前面開口の収納部（
収納室）３を備え、収納部（収納室）３の上部に位置するように、機体２の上部に蒸気排
出ユニットＪＵが取り付けられている。蒸気排出ユニットＪＵは、収納部（収納室）３の
天井部を形成するように機体２に取り付けらており、その前面に化粧パネル４が設けられ
ている。蒸気排出ユニットＪＵは、上面等の外壁を形成する外殻板５１と収納部（収納室
）３の天井面を形成する天井板５との間に、各種ダクト及び蒸気排出ファン９を備えた蒸
気排出通路８を形成し、収納部（収納室）３内の蒸気を収納部（収納室）３の天井面に形
成した蒸気吸い込み口６から吸い込み、この蒸気排出通路８を通して化粧パネル４に形成
した蒸気排出口７から収納部（収納室）３外へ排出する構成である。また収納部（収納室
）３内の壁（図では背壁面）には、炊飯器や湯沸かし器等の蒸気発生器具１１の電源用と
して電源コンセント１０が取り付けられている。実施例では、使用電力が異なる二種類の
蒸気発生器具として、湯沸かし器１１Ａと湯沸かし器１１Ａに比して使用電力が大きい炊
飯器１１Ｂを示しており、そのため、電源コンセント１０は、左右に第１電源コンセント
（差し込み口）１０Ａと、第２電源コンセント（差し込み口）１０Ｂを有する二口用の電
源コンセント１０を採用している。
【００１２】
化粧パネル４内にはマイクロコンピュータ式の制御部１２が収納され、化粧パネル４の
前面には操作パネル１３があり、操作パネル１３には、蒸気排出装置１の電源の入／切（
ＯＮ／ＯＦＦ）スイッチ部１４と、動作モード選択スイッチ部１５と、自動標準モードの
表示部１６と、自動長時間モードの表示部１７と、手動モードの表示部１８と、優先動作
モードの表示部１９と、これらの下方に動作状態を表示する横長のインジケータ２０が設
けられている。各表示部１６、１７、１８、１９はそれぞれ１個のＬＥＤの点灯で表示さ
れる構成であり、インジケータ２０は、複数のＬＥＤが直線状に横一列に配置された構成
である。これらのスイッチ部１４、１５、及び各表示部１６、１７、１８、１９、及びイ
ンジケータ２０は、それぞれ制御部１２に電気的に接続され、蒸気排出ファン９も制御部
１２に電気的に接続されている。
【００１３】
図２において、２１は電力会社から家屋へ供給される家屋用電源であり、２２は家屋に
設けられたブレーカである。２３は電流遮断器（電流遮断リレー）であり、後述のように
、第１電源コンセント１０Ａと第２電源コンセント１０Ｂのうちの一方の電源コンセント
に接続された蒸気発生器具１１の通電回路を遮断するものであり、制御部１２によって通
電が制御される。２４は第１電源コンセント１０Ａと第２電源コンセント１０Ｂに接続さ
れた蒸気発生器具１１Ａ、１１Ｂの電流を検出する電流検知器であり、電流遮断器（電流
遮断リレー）２３と直列回路を構成する。電流検知器２４は、蒸気発生器具１１Ａ、１１
Ｂの総合電流が１次側コイル２４Ａを流れ、この電流によって２次側コイル２４Ｂに生じ
る電流または電圧が制御部１２に入力されて、制御部１２が動作する。蒸気排出装置１へ
の電源供給は、電源プラグ２５Ｂをコンセント２５Ａに差し込むことにより得られる。
【００１４】
電流遮断器２３を第１電源コンセント１０Ａに接続するか、第２電源コンセント１０Ｂ
に接続するかの手動切り替え装置２６が設けられている。手動切り替え装置２６は、電源
コンセント１０Ａ、１０Ｂの選択使用を考慮すれば、電源コンセント１０の近傍に配置す
るのが好ましいが、蒸気排出装置１のその他の箇所に配置しても差し支えない。手動切り
替え装置２６は、切り替えスイッチｃを上方の接点ａに接続するか、下方の接点ｂに接続
するかを手動で切り替えるものである。図２のように切り替えスイッチｃが下方の接点ｂ
に接続した状態は、ライン２７Ａが電源コンセント１０Ａに接続され、ライン２７Ｂが電
源コンセント１０Ｂに接続された状態であり、電流遮断器２３がライン２７Ｂによって第
２電源コンセント１０Ｂに接続され、電流検知器２４が電源コンセント１０Ａ、１０Ｂの
両方を流れる電流を検知する状態である。また、切り替えスイッチｃが上方の接点ａに接
続した状態は、点線で示すように、ライン２７Ａが電源コンセント１０Ｂに接続され、ラ
イン２７Ｂが電源コンセント１０Ａに接続された状態であり、電流遮断器２３がライン２
７Ｂによって第２電源コンセント１０Ａに接続され、電流検知器２４が電源コンセント１
０Ａ、１０Ｂの両方を流れる電流を検知する状態である。
【００１５】
このような構成において、電源プラグ２５Ｂを家屋内のコンセント２５Ａに差し込んだ
状態で、蒸気排出装置１に電源が供給された状態となり、電源コンセント１０へ電力が供
給された状態である。この状態で、電源コンセント１０の第１差し込み口１０Ａへ湯沸か
し器１１Ａの電源プラグを差し込み、第２差し込み口１０Ｂへ炊飯器１１Ｂの電源プラグ
を差し込み、手動切り替え装置２６を切り替えスイッチｃが上方の接点ａに接続した状態
とする。この手動切り替え装置２６の操作は、第１差し込み口１０Ａと第２差し込み口１
０Ｂへ湯沸かし器１１Ａと炊飯器１１Ｂを接続する前に行ってもよい。この状態で、電流
遮断器２３が第１電源コンセント１０Ａに接続された状態となり、電流遮断器２３の接点
２３ＢはＯＮである（閉じている）。
【００１６】
この状態で、電源の入／切（ＯＮ／ＯＦＦ）スイッチ部１４を押す操作によってそのス
イッチがＯＮし、その信号が制御部１２へ入力され、自動標準モードの表示部１６のＬＥ
Ｄが点灯すると共に、蒸気排出ファン９を運転状態とし、湯沸かし器１１Ａと炊飯器１１
Ｂへ通電され、湯沸かし器１１Ａの沸き上げ終了及び炊飯器１１Ｂの炊き上げ終了までは
、湯沸かし器１１Ａと炊飯器１１Ｂへは大きな電流が流れる状態である。この大きな電流
を電流検知器２４が検知し、２次側コイル２４Ｂに生じる電流または電圧が制御部１２へ
入力される。湯沸かし器１１Ａの沸き上げ終了及び炊飯器１１Ｂの炊き上げ終了まで、制
御部１２の動作によってこの状態が継続し、発生する多くの蒸気を蒸気排出ファン９によ
って良好に排出する。
【００１７】
そして、湯沸かし器１１Ａの沸き上げ終了にて保温状態になり、電源コンセント１０Ａ
を流れる電流が減少する。また、炊飯器１１Ｂの炊き上げ終了にて保温状態になり、電源
コンセント１０Ｂを流れる電流が減少する。電源コンセント１０Ａ、１０Ｂを流れる電流
によって２次側コイル２４Ｂに生じる電流または電圧が減少し、これが制御部１２に入力
される。蒸気排出ファン９は、制御部１２によって予め定めた所定時間（湯沸かし器１１
Ａの沸き上げ終了間での時間と炊飯器１１Ｂの炊き上げ終了までの時間よりも長い時間）
運転して停止するように制御される。なお、動作モードは動作モード選択スイッチ部１５
の操作によって設定された動作モードを選択して、動作させることができる。
【００１８】
上記のように、収納部（収納室）３内の左側に湯沸かし器１１Ａを収納して電源コンセ
ント１０の差し込み口１０Ａへ湯沸かし器１１Ａの電源プラグが差し込み、収納部（収納
室）３内の右側に炊飯器１１Ｂを収納して差し込み口１０Ｂへ炊飯器１１Ｂの電源プラグ
が差し込み、それらのスタートスイッチをＯＮし、電源の入／切（ＯＮ／ＯＦＦ）スイッ
チ部１４をＯＮ操作することにより、湯沸かし器１１Ａが沸き上げ中で、且つ炊飯器１１
Ｂ炊き上げ中の通電状態にあるとき、何らかの原因により、電流が増大し、ブレーカ２２
を流れる電流が所定値オーバー状態となってブレーカ２２が遮断動作すれば、炊飯器１１
Ｂでの炊き上げ途中に中断し、炊き上がらずに所謂ブチ飯となることが懸念される。
【００１９】
本発明は、これを防止するように構成している。図示しないが制御部１２は、電源コン
セント１０の電力、即ち電源コンセント１０に接続された湯沸かし器１１Ａと炊飯器１１
Ｂとの総合電力を検知する回路を備えており、電源コンセント１０の電力、即ち電源コン
セント１０に接続された湯沸かし器１１Ａと炊飯器１１Ｂを含む総合電力が所定の上限値
（ブレーカ２２が遮断動作するための最低電流値に相当する単位がワットの電力であり、
実施例では１４８０Ｗ）未満または以下である場合、インジケータ２０の表示の一つとし
て、インジケータ２０のＬＥＤを第１発光状態（例えば連続発光状態）とする。この総合
電力が所定の上限値（実施例では１４８０Ｗ）以上の状態を所定時間Ｔ６（この時間はブ
レーカ２２が遮断するまでの動作時間よりも若干短い時間であり、実施例では１０秒に設
定）継続したことが制御部１２によって判定されたとき、表示部１９のＬＥＤが点灯する
と共に、制御部１２によって電流遮断器（電流遮断リレー）２３のコイル２３Ａの通電が
切れてその接点２３ＢがＯＦＦし（開く）、差し込み口１０Ａの電力ラインをＯＦＦし（
開く）て、湯沸かし器１１Ａへの電力供給を遮断する。これによって、ブレーカ２２を流
れる電流が低下して遮断することが避けられ、電源コンセント１０Ｂに接続された炊飯器
１１Ｂの電力供給が遮断することなく継続する。この状態では、蒸気排出ファン９は運転
を継続しており、インジケータ２０の複数のＬＥＤが所定の第２発光状態（例えば１秒間
隔での点滅状態か、更に長い時間間隔での緩やかな点滅状態）となる。
【００２０】
次に、収納部（収納室）３内の右側に湯沸かし器１１Ａを収納して、電源コンセント１
０Ｂに湯沸かし器１１Ａを接続し、収納部（収納室）３内の左側に炊飯器１１Ｂを収納し
て、電源コンセント１０Ａに湯沸かし器１１Ａよりも電力消費の大きい炊飯器１１Ｂを接
続し、手動切り替え装置２６を切り替えスイッチｃが下方の接点ｂに接続した状態とする
。この状態で、電流遮断器２３が第２電源コンセント１０Ｂに接続された状態となる。
【００２１】
この場合も上記同様に動作し、前記総合電力が所定の上限値（実施例では１４８０Ｗ）
以上の状態を所定時間Ｔ６（この時間はブレーカ２２が遮断するまでの動作時間よりも若
干短い時間であり、実施例では１０秒に設定）継続したことが制御部１２によって判定さ
れたとき、表示部１９のＬＥＤが点灯すると共に、制御部１２によって電流遮断器（電流
遮断リレー）２３のコイル２３Ａの通電が切れてその接点２３ＢがＯＦＦし（開く）、差
し込み口１０Ｂの電力ラインをＯＦＦし（開く）て、湯沸かし器１１Ａへの電力供給を遮
断する。これによって、ブレーカ２２を流れる電流が低下して遮断することが避けられ、
電源コンセント１０Ａに接続された炊飯器１１Ｂの電力供給が遮断することなく継続する
。この状態では、蒸気排出ファン９は運転を継続しており、インジケータ２０の複数のＬ
ＥＤが所定の第２発光状態（例えば１秒間隔での点滅状態か、更に長い時間間隔での緩や
かな点滅状態）となる。
【００２２】
上記によって、左右いずれの位置にも使用電力が異なる二種類の蒸気発生器具１１を収
納可能とし、ブレーカ２２が遮断する電流状態となったとき、一方の蒸気発生器具の電力
供給ラインは残して他方の蒸気発生器具の電力供給ラインを遮断するようにするため、炊
飯器１１Ｂの炊き上げ途中のように、通電途中で電力供給を断ったら困る器具の救済がで
きるものとなり、蒸気排出装置１の使用性が向上すると共に、安全稼動ができるものとな
る。
【実施例２】
【００２３】
図３は実施例２を示しており、本発明に係る蒸気排出装置の手動切り替えリレー方式の
制御回路図である。実施例１と異なるところは、手動切り替え装置２６の構成が異なるの
みで、他は同じである。このため、実施例１と同様部分は同一符号を付しており、その説
明は実施例１と同様である。
【００２４】
図２の手動切り替えスイッチ方式では、手動切り替え装置２６は、切り替えスイッチｃ
を上方の接点ａに接続するか、下方の接点ｂに接続するかを、手動で切り替えるものであ
るが、図３の手動切り替えリレー方式では、手動切り替え装置２６は、切り替えスイッチ
ｃを上方の接点ａに接続するか、下方の接点ｂに接続するかを、リレーコイル２６Ａの通
電切り替えで行うものである。即ち、手動スイッチ２８をＯＮ状態にすることによって、
制御部１２を通してリレーコイル２６Ａに通電され、切り替えスイッチｃが上方の接点ａ
に接続される。また、手動スイッチ２８をＯＦＦ状態にすることによって、リレーコイル
２６Ａが非通電となり、切り替えスイッチｃが下方の接点ｂに接続される。図３のように
切り替えスイッチｃが下方の接点ｂに接続した状態は、ライン２７Ａが電源コンセント１
０Ａに接続され、ライン２７Ｂが電源コンセント１０Ｂに接続された状態であり、電流遮
断器２３がライン２７Ｂによって第２電源コンセント１０Ｂに接続され、電流検知器２４
が電源コンセント１０Ａ、１０Ｂの両方を流れる電流を検知する状態である。また、切り
替えスイッチｃが上方の接点ａに接続した状態は、点線で示すように、ライン２７Ａが電
源コンセント１０Ｂに接続され、ライン２７Ｂが電源コンセント１０Ａに接続された状態
であり、電流遮断器２３がライン２７Ｂによって第２電源コンセント１０Ａに接続され、
電流検知器２４が電源コンセント１０Ａ、１０Ｂの両方を流れる電流を検知する状態であ
る。
【００２５】
このような切り替えが行なわれるが、上記同様に、電源コンセント１０の第１差し込み
口１０Ａへ湯沸かし器１１Ａの電源プラグを差し込み、第２差し込み口１０Ｂへ炊飯器１
１Ｂの電源プラグを差し込んだ状態では、手動スイッチ２８をＯＮ状態にすることによっ
て、制御部１２を通してリレーコイル２６Ａに通電され、切り替えスイッチｃが上方の接
点ａに接続した状態とする。これによって、上記同様に、総合電力が所定の上限値（実施
例では１４８０Ｗ）以上の状態を所定時間Ｔ６（この時間はブレーカ２２が遮断するまで
の動作時間よりも若干短い時間であり、実施例では１０秒に設定）継続したことが制御部
１２によって判定されたとき、制御部１２によって電流遮断器（リレー）２３のコイル２
３Ａの通電が切れてその接点２３ＢがＯＦＦし（開く）、差し込み口１０Ａの電力ライン
をＯＦＦし（開く）て、湯沸かし器１１Ａへの電力供給を遮断する。
【００２６】
また、上記同様に、電源コンセント１０の第２差し込み口１０Ｂへ湯沸かし器１１Ａの
電源プラグを差し込み、第１差し込み口１０Ａへ炊飯器１１Ｂの電源プラグを差し込んだ
状態では、手動スイッチ２８をＯＦＦ状態にすることによって、リレーコイル２６Ａは非
通電となり、切り替えスイッチｃが下方の接点ｂに接続した状態となる。これによって、
上記同様に、総合電力が所定の上限値（実施例では１４８０Ｗ）以上の状態を所定時間Ｔ
６（この時間はブレーカ２２が遮断するまでの動作時間よりも若干短い時間であり、実施
例では１０秒に設定）継続したことが制御部１２によって判定されたとき、制御部１２に
よって電流遮断器（電流遮断リレー）２３のコイル２３Ａの通電が切れてその接点２３Ｂ
がＯＦＦし（開く）、差し込み口１０Ｂの電力ラインをＯＦＦし（開く）て、湯沸かし器
１１Ａへの電力供給を遮断する。
【００２７】
手動切り替え装置２６の手動スイッチ２８は、電源コンセント１０Ａ、１０Ｂの選択使
用を考慮すれば、電源コンセント１０の近傍に配置するのが好ましいが、蒸気排出装置１
のその他の箇所に配置しても差し支えない。なお、手動スイッチ２８の接続位置は、リレ
ーコイル２６Ａに直接接続するのではなく、図３に点線２８Ａで示すように制御部１２に
入力するように接続し、手動スイッチ２８のＯＮ、ＯＦＦによって、制御部１２がリレー
コイル２６Ａを通電、非通電に制御するようにして、上記同様の動作が得られるようにし
てもよい。
【００２８】
これによって、左右いずれの位置にも使用電力が異なる二種類の蒸気発生器具１１を収
納可能とし、ブレーカ２２が遮断する電流状態となったとき、一方の蒸気発生器具の電力
供給ラインは残して他方の蒸気発生器具の電力供給ラインを遮断するようにするため、炊
飯器１１Ｂの炊き上げ途中のように、通電途中で電力供給を断ったら困る器具の救済がで
きるものとなり、蒸気排出装置１の使用性が向上すると共に、安全稼動ができるものとな
る。
【産業上の利用可能性】
【００２９】
本発明は、上記実施例に示した構成に限定されず、種々の形態の蒸気排出装置に適用で
きるものであり、本発明の技術範囲において種々の形態を包含するものである。
【図面の簡単な説明】
【００３０】
【図１】本発明に係る蒸気排出装置の正面斜視図である。（実施例１）
【図２】本発明に係る蒸気排出装置の手動切り替えスイッチ方式の制御回路図である。（実施例１）
【図３】本発明に係る蒸気排出装置の手動切り替えリレー方式の制御回路図である。（実施例２）
【符号の説明】
【００３１】
１・・・・・蒸気排出装置
２・・・・・蒸気排出装置の機体
３・・・・・収納部（収納室）
４・・・・・化粧パネル
５・・・・・壁（図では天井壁面）
６・・・・・蒸気吸い込み口
７・・・・・蒸気排出口
９・・・・・蒸気排出ファン
１０・・・・電源コンセント
１０Ａ・・・第１電源コンセント（差し込み口）
１０Ｂ・・・第２電源コンセント（差し込み口）
１１Ａ・・・湯沸かし器
１１Ｂ・・・炊飯器
１２・・・・制御部
１３・・・・操作パネル
１４・・・・電源の入／切（ＯＮ／ＯＦＦ）スイッチ部
１９・・・・優先動作モードの表示部
２０・・・・インジケータ
２１・・・・家屋用電源
２２・・・・ブレーカ
２３・・・・電流遮断器（電流遮断リレー）
２４・・・・電流検知器
２５Ａ・・・コンセント
２５Ｂ・・・電源プラグ
２６・・・・手動切り替え装置
２６Ａ・・・リレーコイル
２８・・・・手動スイッチ
【図１】
2009082334.tif 000003
【図２】
2009082334.tif 000004
【図３】
2009082334.tif 000005